(57)【要約】【課題】本人が未来に向けて特定者宛に作成した本人データを、将来起きる冠婚葬祭や各種イベントで、身近な人が個別的に閲覧でき、幸せや喜び、驚き等の感情・心を、時空を越えて共有できる未来型データの個別閲覧システムを提供する。【解決手段】本人１が未来に向けて特定者２宛に本人データ３を予め作成し、将来起きる冠婚葬祭や各種イベントで、特定者２が個別的にその内容を閲覧自在なシステムである。未来に向けての本人データ３がデータ管理部５に転送され、データ管理部５では本人データ３が受信されて管理され、許可時に送信・閲覧される。特定者２が一行事でデータ管理部５にアクセス自在であり、アクセスが許可された時に本人データ３の内容を個別的に閲覧できる。【選択図】    図１
2020135522.tif 000002
【特許請求の範囲】
【請求項１】
本人が未来に向けて特定者宛に本人データを予め作成し、将来起きる冠婚葬祭や各種イベント等の行事で、前記特定者が個別的にその内容を閲覧自在なシステムであって、
前記未来に向けて特定者に発信した本人データが、データ管理部に転送され、前記データ管理部では前記本人データが受信されて管理されると共に、許可時に送信及び閲覧されること、
前記特定者が一行事において、前記データ管理部にアクセス自在であり、前記アクセスが許可された時に、前記本人データの内容を個別的に閲覧できる構成であることを特徴とする、未来型データの個別閲覧システム。
【請求項２】
前記本人データは、第一メッセージにつづく第二メッセージやそれ以降のメッセージとして段階的に内容を変えられる隠れメッセージ機能の設定が自在であることを特徴とする、請求項１に記載した未来型データの個別閲覧システム。
【請求項３】
前記隠れメッセージ機能は、データ管理部の第一メッセージが閲覧された後、さらにデータ管理部のデータ認証部によって許可された時に第二メッセージやそれ以降のメッセージが段階的に設定及び／又は閲覧できる構成に制御されていることを特徴とする、請求項１又は２に記載した未来型データの個別閲覧システム。
【請求項４】
前記データ認証部を構成する感情認証システムは、本人データの第一メッセージを閲覧した前記特定者の表情に変化が生じ感情が動いたと判断された時に第二メッセージやそれ以降のメッセージへの閲覧が許可されることを特徴とする、請求項１〜３のいずれか一に記載した未来型データの個別閲覧システム。
【請求項５】
前記本人データにおける第二メッセージやそれ以降のメッセージへの設定及び／又は閲覧の許可は、データ認証部の感情認証システム、顔認証システム、音声認識検索システム、文字認証システムのいずれか１又は２以上の組合せによって行われることを特徴とする、請求項１〜４のいずれか一に記載した未来型データの個別閲覧システム。
【請求項６】
前記本人データには、動画や静止画、文字、音声による本人の伝えたいメッセージや本心、プレゼント、秘密事項、伝えられなかった想い、感謝の気持ち、反省事項、第三者へのお尋ね事、遺言が含まれていることを特徴とする、請求項１〜５のいずれか一に記載した未来型データの個別閲覧システム。
【請求項７】
前記本人データには、特定者たる冠婚葬祭時の参列者に関する情報が含まれ、データ管理部は本人や親族の同意を得た上で、ブライダル会社、セレモニー会社、病院、銀行等の提携機関と前記参列者に関する情報の送受信が行われることを特徴とする、請求項１〜６のいずれか一に記載した未来型データの個別閲覧システム。
【請求項８】
前記本人データを閲覧できる特定者が、自分や家族、親族、友人、参列者であることを特徴とする、請求項１〜７のいずれか一に記載した未来型データの個別閲覧システム。
【請求項９】
前記本人データを閲覧できる特定者が、前記データ管理部とデータの送受信を行う病院や銀行、法律事務所等の提携機関であることを特徴とする、請求項１〜７のいずれか一に記載した未来型データの個別閲覧システム。
【請求項１０】
前記本人データに本人の健康情報や資産情報が含まれ、それを管理及び評価するデータ管理部から本人に特典としてのマイルが付与されることを特徴とする、請求項１〜９のいずれか一に記載した未来型データの個別閲覧システム。
【請求項１１】
前記本人データは、未来に特定者が閲覧できる所定時刻を本人が設定自在に構成されていることを特徴とする、請求項１〜１０のいずれか一に記載した未来型データの個別閲覧システム。
【請求項１２】
前記本人データは、随時、データ認証部を介してデータ管理部に転送され、最新の本人データが管理されていることを特徴とする、請求項１〜１１のいずれか一に記載した未来型データの個別閲覧システム。
【請求項１３】
前記本人データは、適時に、データ管理部と連携する送付部から前記特定者に送付されることを特徴とする、請求項１〜１２のいずれか一に記載した未来型データの個別閲覧システム。
【請求項１４】
前記本人が予め作成しデータ管理部で管理される本人データが第三者宛のものであり、前記本人データを閲覧できる者が前記第三者であることを特徴とする、請求項１〜１３のいずれか一に記載した未来型データの個別閲覧システム。
【請求項１５】
前記本人データの作成や設定、認証、管理、送付及び閲覧は、ＡＩ（Artificial Intelligence）・ＶＲ（Virtual Reality）・ＡＲ（Augmented Reality）・ＭＲ（Mixed Reality）・ＳＲ（Substitutional Reality）の技術を利用して行われることを特徴とする、請求項１〜１４のいずれか一に記載した未来型データの個別閲覧システム。
【発明の詳細な説明】
【技術分野】
【０００１】
本発明は、本人が未来に向けて特定者宛に本人データを予め作成し、将来起きる冠婚葬祭や各種イベント等の行事で、主に特定者が個別的にその内容を閲覧自在な未来型データの個別閲覧システムに属し、さらに言えば、身近な家族や友人等に幸せや喜び、驚き等の感情・心を、ときには時空を越えて共有でき、大事な身近の家族や友人等に生きる源、元気、勇気や希望を付与する未来型データの個別閲覧システムに関するものである。
【背景技術】
【０００２】
我が国は戦後、大量生産・大量消費を通し地球環境を破壊しながら、利益やお金のみを追求する時代が続いた。結果として物質的に豊かになったが、お金やモノ、他者との比較や他者よりいかに優れているかを競い合うことで幸せを判断するようになってしまった。
このように、世の中には、お金で買える良いモノもたくさんあるが、幸せや感情、「まごころ」や「愛情」はお金に換算できない。感情・心には、他者との比較、他者への恨みつらみ、嫉み、自慢等もあるが、我々が大事にするのは、喜び・楽しさ・驚きといった感情・心であり、夢や希望である。
そこで、注目されるのが、本人が未来に向けて特定者宛に本人データを予め作成し、将来起きる冠婚葬祭や各種イベント等の行事で、主に特定者が個別的にその内容を閲覧自在な未来型データの個別閲覧システムであるが、そのような未来に発信する「個別的」な「まごころ」や「愛情」が伴った閲覧システムは現在のところ開発されていない。
【０００３】
例えば、下記の特許文献１に記載あるように、本人側から、冠婚葬祭場の案内とそこで行われる冠婚葬祭催事についての情報の登録を受け付け、当該情報に基づいて作成された案内をネットワークを介して配信し、且つ当該冠婚葬祭催事への金品及びメッセージの配達等の依頼を冠婚葬祭場が自動で受注し、代金決済まで行えるようにした技術は公知である。
すなわち、同特許文献１には、符号は同文献１に記載のものを援用すると、冠婚葬祭場登録情報ＡをＤＢ１０に登録する冠婚葬祭場登録部９と、贈り物金品登録情報Ｂと冠婚葬祭催行登録情報ＣとをＤＢ１０に登録する冠婚葬祭場情報入力部１１と、上記冠婚葬祭場の電話番号に基づいて生成された電子メールアドレス宛の電子メールを受信し、上記冠婚葬祭場のホームページのＵＲＬを一部に含む電子メールを返信するＵＲＬ送信部１２と、ＤＢ１０で保持している冠婚葬祭場登録情報Ａや贈り物金品登録情報Ｂ、冠婚葬祭催行登録情報Ｃを閲覧可能に公開する冠婚葬祭場情報公開部１３と、贈り物の受注を受付け当該受注情報ＦをＤＢ１６に登録する冠婚葬祭金品メッセージ受注部１４と、を具備する冠婚葬祭支援システムが開示されている。
【先行技術文献】
【特許文献】
【０００４】
【特許文献１】特開２００７−１７９１０９公報
【発明の概要】
【発明が解決しようとする課題】
【０００５】
前記特許文献１に係る発明によれば、婚葬祭場の案内とその催事についての情報の登録を受け付け、当該情報に基づいて作成された案内をネットワークを介して配信し、当該冠婚葬祭催事への金品及びメッセージの配達等の依頼を冠婚葬祭場が自動で受注し、代金決済を行えるが、それは一般来な冠婚葬祭の連絡と一般的なお礼メッセージの配達を代行するものであり、「個別的」に「まごころ」や「愛情」が伴ったメッセージと共に連絡し、個別的に閲覧できるものではなく、この点が解すべき問題である。
【０００６】
しかるに、本発明は上記課題に鑑みて案出されたものであり、その目的とするところは、本人が未来に向けて特定者宛に予め作成した本人データを、将来起きる冠婚葬祭や各種イベント等の行事で、主に身近な家族や友人等の特定者が個別的に閲覧でき、幸せや喜び、驚き等の感情・心を、ときには時空を越えて共有できる未来型データの個別閲覧システムを提供することにある。
【課題を解決するための手段】
【０００７】
上記の課題を解決するための手段として、請求項１に記載した発明の未来型データの個別閲覧システムは、本人１が未来に向けて特定者２宛に本人データ３を予め作成し、将来起きる冠婚葬祭や各種イベント等の行事で、前記特定者２が個別的にその内容を閲覧自在なシステムであって、
前記未来に向けて特定者２に発信した本人データ３が、データ管理部５に転送され、前記データ管理部５では前記本人データ３が受信されて管理されると共に、許可時に送信及び閲覧されること、
前記特定者２が一行事において、前記データ管理部５にアクセス自在であり、前記アクセスが許可された時に、前記本人データ３の内容を個別的に閲覧できる構成であることを特徴とする。
【０００８】
請求項２に記載した発明は、請求項１に記載した発明の未来型データの個別閲覧システムにおいて、前記第一メッセージＭにつづく第二メッセージＴやそれ以降のメッセージとして段階的に内容を変えられる隠れメッセージ機能の設定が自在であることを特徴とする。
【０００９】
請求項３に記載した発明は、請求項１又は２に記載した発明の未来型データの個別閲覧システムにおいて、前記隠れメッセージ機能は、データ管理部５の第一メッセージＭが閲覧された後、さらにデータ管理部５のデータ認証部５’によって許可された時に第二メッセージＴやそれ以降のメッセージが段階的に設定及び／又は閲覧できる構成に制御されていることを特徴とする。
【００１０】
請求項４に記載した発明は、請求項１〜３のいずれか一に記載した未来型データの個別閲覧システムにおいて、前記データ認証部５’を構成する感情認証システム１０は、本人データ３の第一メッセージＭを閲覧した前記特定者２の表情に変化が生じ感情が動いたと判断された時に第二メッセージＴやそれ以降のメッセージへの閲覧が許可されることを特徴とする。
【００１１】
請求項５に記載した発明は、請求項１〜４のいずれか一に記載した未来型データの個別閲覧システムにおいて、前記本人データ３における第二メッセージＴやそれ以降のメッセージへの設定及び／又は閲覧の許可は、データ認証部５’の感情認証システム１０（Ｂ６）、顔認証システムＢ２、音声認識検索システムＢ４、文字認証システムＢ５のいずれか１又は２以上の組合せによって行われることを特徴とする。
【００１２】
請求項６に記載した発明は、請求項１〜５のいずれか一に記載した未来型データの個別閲覧システムにおいて、前記本人データ３には、動画や静止画、文字、音声による本人の伝えたいメッセージや本心、プレゼント、秘密事項、伝えられなかった想い、感謝の気持ち、反省事項、第三者へのお尋ね事、遺言が含まれていることを特徴とする。
【００１３】
請求項７に記載した発明は、請求項１〜６のいずれか一に記載した未来型データの個別閲覧システムにおいて、前記本人データ３には、特定者２たる冠婚葬祭時の参列者に関する情報１１が含まれ、データ管理部５は本人１や親族（２）の同意を得た上で、ブライダル会社、セレモニー会社、病院、銀行等の提携機関４と前記参列者に関する情報１１の送受信が行われることを特徴とする。
【００１４】
請求項８に記載した発明は、請求項１〜７のいずれか一に記載した未来型データの個別閲覧システムにおいて、前記本人データ３を閲覧できる特定者２が、自分や家族、親族、友人、参列者であることを特徴とする。
【００１５】
請求項９に記載した発明は、請求項１〜７のいずれか一に記載した未来型データの個別閲覧システムにおいて、前記本人データ３を閲覧できる特定者２が、前記データ管理部５とデータの送受信を行う病院や銀行、法律事務所等の提携機関６であることを特徴とする。
【００１６】
請求項１０に記載した発明は、請求項１〜９のいずれか一に記載した未来型データの個別閲覧システムにおいて、前記本人データ３に本人１の健康情報１２や資産情報が含まれ、それを管理及び評価するデータ管理部５から本人１に特典としてのマイル１３が付与されることを特徴とする。
【００１７】
請求項１１に記載した発明は、請求項１〜１０のいずれか一に記載した未来型データの個別閲覧システムにおいて、前記本人データ３は、未来に特定者２が閲覧できる所定時刻を本人が設定自在に構成されていることを特徴とする。
【００１８】
請求項１２に記載した発明は、請求項１〜１１のいずれか一に記載した未来型データの個別閲覧システムにおいて、前記本人データ３は、随時、データ認証部５’を介してデータ管理部５に転送され、最新の本人データ３が保存及び管理されていることを特徴とする。
【００１９】
請求項１３に記載した発明は、請求項１〜１２のいずれか一に記載した未来型データの個別閲覧システムにおいて、前記本人データ３は、適時に、データ管理部５と連携する送付部８から前記特定者２に送付されることを特徴とする。
【００２０】
請求項１４に記載した発明は、請求項１〜１３のいずれか一に記載した未来型データの個別閲覧システムにおいて、前記本人１が予め作成しデータ管理部５で管理される本人データ３が第三者宛のものであり、前記本人データ３を閲覧できる者が前記第三者であることを特徴とする。
【００２１】
請求項１５に記載した発明は、請求項１〜１４のいずれか一に記載した未来型データの個別閲覧システムにおいて、前記本人データ３の作成や設定、認証、管理、送付及び閲覧は、ＡＩ（Artificial Intelligence）・ＶＲ（Virtual Reality）・ＡＲ（Augmented Reality）・ＭＲ（Mixed Reality）・ＳＲ（Substitutional Reality）の技術を利用して行われることを特徴とする。
【発明の効果】
【００２２】
本発明の未来型データの個別閲覧システムは、本人が未来に向けて特定者宛に本人データを予め作成し、将来起きる冠婚葬祭や各種イベント等の行事で、特定者が個別的にその内容を閲覧できるので、身近な家族や友人等の特定者がその本人データに個別的に接して、幸せや喜び、驚き等の感情・心を時空を越えて共有でき、大切な身近な人に生きる源や元気・勇気・希望を付与する画期的なシステムが実現される。
【図面の簡単な説明】
【００２３】
【図１】未来型データの個別閲覧システムのデータ管理部とデータ認証部を示した構成図である。
【図２】本システムの送付部を示した構成図である。
【図３】本システムの典型的な実施形態を示した構成図である。
【図４】本システムの異なる実施形態を示した構成図である。
【図５】本システムのアカウント新規登録のフローチャート図である。
【図６】図５につづくフローチャート図である。
【図７】マイページ画面を示したフローチャート図である。
【図８】本システムの安心機能のフローチャート図である。
【図９】図８につづくフローチャート図である。
【図１０】図９につづくフローチャート図である。
【図１１】図１０につづくフローチャート図である。
【図１２】図１１につづくフローチャート図である。
【図１３】本システムの参加者アカウント情報のフローチャート図である。
【図１４】図１３につづくフローチャート図である。
【図１５】図１４につづくフローチャート図である。
【発明を実施するための最良の形態】
【００２４】
本発明の未来型データの個別閲覧システムの好適な実施形態を、図面にしたがって説明する。
この未来型データの個別閲覧システムは、図３に示したように、本人１が未来に向けて特定者２宛に本人データ３を予め作成し、将来起きる冠婚葬祭や、同窓会・誕生日会といった各種イベント等の行事で、前記特定者２が個別的にその内容を閲覧自在なシステムである。
未来に向けて特定者２に発信した本人データ３が、パソコンや携帯電話等のデバイスによりインターネットを通じ、後述するデータ認証部５’を介してデータ管理部５に転送され、各種の設定が行われる。前記データ管理部５では前記本人データ３が受信されて保存及び管理されると共に、許可時に送信及び閲覧される。そして、前記特定者２が一行事において、パソコン等のデバイスからインターネット等のアクセス手段によりデータ管理部５にアクセス自在であり、アクセスが許可された時に、本人データ３の内容を個別的に閲覧できるものである。
前記本人データ３の特定者２への送信手段としては、電子メールが好適であるが、LINE（登録商標）、Facebook（登録商標）、Twitter（登録商標）等のＳＮＳ（ソーシャル・ネットワーキング・サービス）によっても勿論可能である。それらを使用しない特定者２に対しては、郵送（書留扱い）等して送付するが、その際には、運転免許証や保険証など受取人（特定者２）の確認をした上で渡すようにする。
【００２５】
ここにいう特定者２とは、自分や家族、親族、友人、参列者のいずれかであったり、又はそれらの人の組合せといった繋がりが深い関係（いわゆる縦軸）にある人をいう。本実施形態における個別閲覧システムは、ＡＩ（人工知能：Artificial Intelligenceの略）や、ＶＲ（仮想現実：Virtual Realityの略）、ＡＲ（拡張現実：Augmented Realityの略）、ＭＲ（複合現実：Mixed Realityの略）、ＳＲ（代替現実：Substitutional Realityの略）といったＸＲ（前記ＶＲ/ＡＲ/ＭＲ/ＳＲの全ての先端技術の総称：Cross Realityの略）の先端技術等を利用して好適に実施される。例えば前記ＡＩ（人工知能）とは、一般的にいうと、人間の知的ふるまいの一部をソフトウェアを用いて人工的に再現したもので、経験から学び、新たな入力に順応することで、人間が行うように柔軟にタスクを実行するものである。
【００２６】
図１に示した当該未来型データの個別閲覧システムにおけるデータ管理部５（サーバー）のハードウェア構成は、一般的なコンピュータ装置（以下、ＰＣともいう。）と同様に実現可能である。すなわち、データ管理部５は、詳細図を省略したプロセッサと、ＲＡＭと、内蔵のハードディスク装置と、他のＰＣと通信する通信インタフェースと、入出力ユーザインタフェース（ディスプレイ、キーボード、マウス等）を備え、このデータ管理部５へのアクセスの可否を判定・認証するために連動する下記データ認証部５’のアプリケーション（プログラム）も含む構成である。
当該データ管理部５には、本人データ３（第一メッセージＭや第二メッセージＴを含む）たる文字メッセージデータＣ１、画像データＣ２、動画データＣ３、ＶＲデータＣ４のほか、データアクセスの可否を判定する顔認証データＣ５や感情認識メッセージデータ（第二メッセージＴ）を備えている。また、セレモニー会社等データＣ７、参加者リストデータＣ８、贈りモノリストデータＣ９、認証用ＩＤ・パスワード・バーコードデータＣ１０、音声データＣ１１、マイルデータＣ１２、ユーザーデータＣ１３、個人図書館データＣ１４、インストールデータＣ１５、決済データＣ１６、確認データＣ１７といった各種データベースが備わって保存・管理されている。
【００２７】
本実施形態のデータ認証部５’は、前記データ管理部５へのアクセスの可否を判断するアプリケーションであり、「タイムマシーン」と仮称する。ＡＩ（人工知能）Ｂ３を利用して、カメラ付きデバイスＢ１により判定が行われる。カメラ付きデバイスＢ１とは、パソコンやタブレット・スマートフォンなどを含む、単体でカメラの機能を持つ電子部品・機器・周辺機器である。そして、このデータ認証部５’は、「顔認証システムＢ２」「音声認識検索システムＢ４」「感情認証システムＢ６」「文字認証システムＢ５」「決済システムＢ７」「ケアシステムＢ６（１０）」等を備えている。
顔認証システムＢ２とは、一般的に、カメラのデジタル画像から、人を自動的に識別するためのコンピュータ用アプリケーションである。ライブ画像内の顔と思われる部分を抜き出し、顔面画像データベースと照合することで識別を行う。また、音声認識検索システムＢ４とは、「Ｓｉｒｉ」（登録商標、「Speech Interpretation and Recognition Interface」の略）に代表されるような一般的には、人間の音声をデバイスが認識し、文字列に変換したり、音声の特徴をとらえ、話者の特定をしたりする技術である。スマートフォンの音声入力やＡＩスピーカーの音声応答のような機能も音声認識技術を基に検索機能を備えている。さらに、感情認証システムＢ６（１０）とは、カメラ付きデバイスＢ１を使って、リアルタイムにターゲットの顔の筋肉の僅かな動きや瞳の動きをキャッチし、感情をデータ化・分析するシステムである。
【００２８】
特に、前記の感情認識システム１０（Ｂ６）は、例えば、赤外線を顔に照射した反射光から赤外線画像を用いて感情の認識を行う実施形態が好適である。この感情認識システム１０（Ｂ６）は、赤外光を発光するＬＥＤと、赤外光画像を撮像するカメラ付きデバイス（Ｂ１）と、同カメラで撮像された赤外光画像を用いて顔の表情から感情の認証を行う顔認証システムＢ２と、前記赤外光画像を表示するモニターを備えている（詳細図は省略）。ＰＣや携帯電話等のカメラ付きデバイスＢ１は、前記の赤外光画像に加えて可視光画像を撮像できる形態によっても実施可能であり、モニターは、赤外光画像に加えて可視光画像を表示してもよい。そして、この感情認識システム１０（Ｂ６）には、泣いた顔や笑った顔など変化に富んだ表情パターンが予め登録されている。そして、本システムを操作して本人データ３を閲覧しようとする特定者２は、カメラ付きデバイスＢ１に向って前記の第一メッセージＭに接する。そうして、泣いたり笑ったりして感情が動いたとき、感情認識システム１０はその感情の変化を認識し、次の第二メッセージＴがモニター画面に表示される。
【００２９】
前記の本人データ３とは、動画や静止画、文字、音声等による本人１のメッセージを中心として、上記のように電子メールやＳＮＳ、郵送等によって送信（送付）されるものである。この本人データ３は、隠れメッセージ機能により段階的に内容が設定・閲覧される。ここにいう「隠れメッセージ機能」とは、データ認証部５’（データ管理部５）を通じて本人データ３へのアクセスが許可された時に閲覧できる最初のメッセージ（第一メッセージＭと名付ける。）に加え、前記第一メッセージＭを送られて閲覧した特定者２の感情認証や顔認証、音声認識等で判定し、一定条下でそれ以降のメッセージを段階的に開示する設定や閲覧を制御する機能である。すなわち、２回目に見る第二メッセージＴやそれ以降のメッセージの第三メッセージ、第四メッセージ、第五メッセージ・・・と永久的につづくメッセージを、条件をクリアする毎に段階的に特定者２に見せていくものである。よって、本人１の設定により、第二メッセージＴ以降のメッセージは、段階的に変わるようにすることができる構成になっている。
なお、本実施形態では、第三メッセージ以降永遠につづくメッセージも第二メッセージＴに含めて以下説明することがある。
【００３０】
第二メッセージＴ以降のメッセージを開示する一定条件とは、例えば、データ認証部５’の感情認証システムＢ６（１０）や顔認証システムＢ２によって、本人データ３の第一メッセージＭを閲覧した前記特定者２が、泣いたり笑ったりして顔の表情に変化が生じたことを認識し、音声認識検索システムＢ４によって声が震えたことを認識し、特定者２の心（感情）が動いた（「心の感情パスワード」と名付ける。）と判断されて許可された時に、さらなる第二メッセージＴ以降の遺言等のメッセージが自動的に開くように設定される。
【００３１】
前記本人データ３の第二メッセージＴ以降のメッセージとしては、例えば、本人１が本当に伝えたいメッセージや、伝えられなかった想い、今まで話せなかった秘密事項といった所謂本心、特別なプレゼント、感謝の気持ち、反省事項、第三者へのお尋ね事、遺言などである。かようにして、第二メッセージＴ以降のメッセージへの閲覧の許可は、データ認証部５’の感情認証システムＢ６（１０）や顔認証システムＢ２や音声認識検索システムＢ４、文字認証システムＢ５等を総合的に使用して行われる。
【００３２】
当該未来型データの個別閲覧システムにおいて、本人データ３は、随時、データ認証部５’によりデータ管理部５に転送され、最新の本人データ３が保存及び管理されている。また、必要に応じて、本人データ３は、適時に、データ管理部５又は提携機関４、６から特定者２に送信又は郵送される。
【００３３】
本システムの機能には、大別して３つの「安心機能」「夢機能」「サプライズ機能」がある（図８参照）。
【００３４】
「安心機能」とは、自身（本人１）の記念日や、亡くなったときなどに備えて、家族や仲間に伝えたいメッセージ（本人データ３）を作ったり、招待したい人のリストを事前に作ることができる機能である。例えば、５年後に自分が亡くなったとき、来てほしい方にお葬式に来ていただくことが、いま、準備できたり、自分が亡き後の３０年後に自分の動画を家族に見せることが、いま、できる、といった機能である。
そして、この「安心機能」には、「家族に贈ろう遺言メールサービス」、「未来への贈りモノサービス」、「参列者お伝えサービス」、「人生ライブラリーサービス」、「遺言マイレージサービス」機能が備わっているが、これらは処理フローと共に後述する。
「夢機能」とは、自分（本人１）が持っている夢、希望、喜び、楽しさ、自分が行ってきた努力等を、本人データ３として作成・保存し、将来の自分や家族、仲間におくることができる機能である。例えば、２年後の結婚式で招待客に見ていただける写真や動画（本人データ３）が、いま、準備できたり、１０年後の夢を叶えた自分に、いま、応援メッセージが送れる、といった機能である。
「サプライズ機能」とは、人生において忘れられない特別なコト、想いを、本人データ３として未来の自分（本人１）や家族に届けて驚かせることができる機能である。例えば、４年後に生まれてくる子どもに、いま、誕生日プレゼントが贈れたり、２０年後の子ども・孫を驚かせ、幸せにさせることが、いまできる、といった機能である。
【００３５】
図５〜図１５に示した未来型データの個別閲覧システムの基本的な処理フローについて説明する。
まず、アカウントの新規登録について説明する（図５、図６参照）。
「タイムマシーンへようこそ」と表示された本システムの起動後に、「マイページ画面」が表示される（Ｓ１００）。その中の「アカウント新規作成」を選択してログインし（Ｓ１００、Ｓ１０１）、「本人プロフィール」（名前、性別、生年月日、電話番号、メルアド（アカウントＩＤ）、住所等を設定する（Ｓ１０２）。そして、メルアドへ（メールアドレスの意）の仮ログイン情報の発信・認証を行い（Ｓ１０３）、メルアドからのＵＲＬクリックにより本登録が完了する（Ｓ１０４）。また、前記Ｓ１０１のステップで、アカウントＩＤとパスワードを入力するログイン設定を行うことで（Ｓ１０５）、「ログイン画面・マイページへ」が表示される（Ｓ１１０）。
なお、「タイムマシーン」の内容を取り消すには、前記Ｓ１００のステップで、「取消」を選択してＳ１０６の画面を表示させる。同Ｓ１０６の画面で取消したい項目のチェックボックスをチェックする。すると、取消の再確認を促す画面が表示され（Ｓ１０７）、「はい」を選択すると、取消される（Ｓ１０８）。
【００３６】
前記「マイページ画面」の「伝言機能」について説明する。
図７に示したように、上述したＳ１００の「マイページ画面」において、「伝言」を選択すると、伝言機能の内容を示すＳ１１１の画面が表示される。伝言機能とは、同画面に説明あるように、亡くなった後にクレジットカード等を停止する事で、のちに請求や課金が継続し続けないための機能である。その中の例えば「伝言を作成する」を選択すると、伝言の内容を記入することができる（Ｓ１１２）。伝言作成後に入力情報を確認して完了すると（Ｓ１１３）、伝言が作成された旨が表示される（Ｓ１１４）。
【００３７】
次に、安心機能について説明する（図８）。
「安心機能」は、上述した「夢機能」「サプライズ機能」と共に本システムの中心をなす重要な機能であるので、以下に詳述する。
上述したアカウントの新規登録後にログインして、マイページ画面を表示させる（Ｓ２００）。その中の「安心機能」を選択すると、Ｓ２０１の画面が表示される。すなわち、安心機能画面として以下の項目が表示される。
（ア）「家族に贈ろう遺言メールサービス」
（イ）「未来への贈りモノサービス」
（ウ）「参列者お伝えサービス」
（エ）「人生ライブラリーサービス」
（オ）「遺言マイレージ」
である。「家族に贈ろう遺言メールサービス」についてフローで説明した後、「未来への贈りモノサービス」、「参列者お伝えサービス」、「人生ライブラリーサービス」、「遺言マイレージ」について説明する。
【００３８】
（ア）「家族に贈ろう遺言メールサービス」について
本実施例の「家族に贈ろう遺言メールサービス」とは、あのとき、あの瞬間、大事な家族・友人等の身近な人（特定者２）に伝えられなかったこと・思い・本心等を、本人データ３として未来へ送る遺言メッセージ機能で、上述した隠れメッセージ機能を備えている。
Ｓ２０１の表示画面で「家族に贈ろう遺言メールサービス」の項を選択すると、Ｓ２０２の画面で説明文が表示される（図８）。それを確認した後、作成対象（本人データ３）が動画・写真・文字・アイテムの何に該当するか選択する（Ｓ２０３）。アイテムの場合、サンプル動画、画像、シールマーク等となる（Ｓ２０４）。
次に、図９に示したＳ２０５の画面で、贈り先の情報として、贈り相手（特定者２）の名前、性別、生年月日、住所、電話番号、メルアド等を入力した後、家族に贈る遺言メールの内容をテキストデータで入力する（Ｓ２０６）。入力が完了したら、贈るか否かが尋ねられ（Ｓ２０７）、「はい」を選択すると、「ファイルの選択」と共に「撮影する」の項目が表示される（Ｓ２０８）。「撮影する」を選択するとカメラアプリが自動的に起動して撮影することができる（Ｓ２０９）。
Ｓ２０８画面で入力が完了するか、前記Ｓ２０７画面で「いいえ」を選択すると、未来に特定者２が本人データ３たるメッセージＴ（Ｍ）を閲覧可能な時刻を自由に指定できる「贈る日時の入力」の「○年○月○日○時○分○秒」の画面が表示される（Ｓ２１０）。入力が完了するとＳ２１１画面に移り、「完了する」を選択すると、「感情認証メッセージ（第二メッセージＴ）」の設定画面に移る（Ｓ２１２）（図１０参照）。
【００３９】
第二メッセージＴである「感情認証メッセージ」は、第一メッセージＭを見て、涙が出たり、顔が赤くなったり、笑ったり、声が震えたりして感情に変化が生じ、許可された時にのみ、さらなる本人データ３を段階的に閲覧できるように制御される隠れメッセージ機能に基づいて実施される。上述したように赤外線、ＬＥＤ、赤外光画像を撮像するカメラと、同カメラで撮像された赤外光画像を用いて顔の表情から感情の認証を行う感情認証システム１０（Ｂ６）や、顔認証システムＢ２、音声認識検索システムＢ４など様々なシステム・デバイスを活用した技術により設定される（Ｓ２１３）。
この「感情認証メッセージ（第二メッセージＴ）」の作成に同意した場合、図１１に示したようなメッセージ内容を入力し（Ｓ２１４）、贈ることに同意し（Ｓ２１５）、Ｓ２１６画面での入力と内容確認が完了する（Ｓ２１７）か、前記Ｓ２１５画面で「いいえ」を選択すると、「未来  ○○何年に送信いたしました。」の画面が表示され（Ｓ２１８）、さらに作成する場合以外は、新規作成画面へと移る（Ｓ２１９）。前記Ｓ２１２画面で「感情認証メッセージ（第二メッセージＴ）」を作成しない場合（「いいえ」を押下）も、前記Ｓ２１９画面へ移る（図１２）。
なお、第二メッセージＴの次の第三メッセージや、その次の第四メッセージ、さらにその次の第五メッセージ・・・というように永久的につづく段階的なメッセージを、第二メッセージＴと同様に設定可能である（説明は省略）。
【００４０】
（イ）「未来への贈りモノサービス」について
本実施例の「未来への贈りモノサービス」とは、自分が亡くなったとき、大切な人（特定者２）に本人１のメッセージ（本人データ３）を送るものである。本人１が指定した日時までデータ管理部５で保管し、指定日に指定場所に送付（データ送信や郵送）される。
この送付を担う送付部８を図２に示した。すなわち、送付部８では、通信・伝達や配送、梱包、管理、決済が行われる。通信・伝達の手段としては、スマートフォン・モバイル・ＰＣ・インターネット・インターネット回線（Ｄ１）や電話・ＦＡＸ（Ｄ２）、電子メール（Ｄ３）、ＳＮＳ（Ｄ４）が好適である。配送には、郵便・手紙（Ｄ５）やトラック、飛行機、ドローンといった輸送・配送手段（Ｄ６）がある。梱包は、ダンボール等の容器Ｄ７を用い、管理は、二次元バーコード・ＩＣタグ等の管理伝票（Ｄ８）で行い、電子決済システム等によって決済が行われる（Ｄ９）。
【００４１】
（ウ）「参列者お伝えサービス」について
本実施例の「参列者お伝えサービス」は、自分（本人１）が亡くなった時に来てほしい人（特定者２）のリスト（参列者に関する情報１１）を事前に作成し、保存し、いざというときにセレモニー会社や寺・教会等の提携機関４と連携することで、速やかに参列者（特定者２）に連絡できるものである。
よって、事前に本人１がデータ管理部５に参列者リストを登録することで、お通夜やお葬式の際、来てほしい特定者２に漏れなく連絡することができる。なお、セレモニー会社・寺・教会等の提携機関４に、データ管理部５が保存する参列者リスト（参列者情報１１）を共有する場合には、家族・親族（特定者２）の同意が必須に設定される。
【００４２】
ここで、「参列者アカウント情報」（マイページ画面（Ｓ２００））について処理フローを用いて説明する（図１３）。
Ｓ３００の表示画面で、この参列者アカウント情報とは「冠婚葬祭時の参列者を、本人や親族の同意を受けた上で第三者と連携して招待するサービスです。」と説明され、同意する場合、「参列者の登録」のチェックボックスをチェックして進む（Ｓ３０１、Ｓ３０２）。なお、「参列者一人一人への想いメッセージ」機能とは、葬儀当日または後日、書面やメール、動画、ＶＲ等で渡せる機能である（Ｓ３０２）。
参列者に関する情報１１として、参列者の名前、性別、生年月日、住所、電話番号、メルアド（必須）を入力し（Ｓ３０３）、人数分それぞれ登録する（Ｓ３０４、Ｓ３０５）。なお、これらの参列者情報１１の登録は、本人１や親族（２）の同意を得た上で、データ管理部において行われる（Ｓ３０６）（図１４参照）。
そして、セレモニー会社、寺、教会等の提携機関４を事前に選択するか決めて（Ｓ３０７）、選択し、提携機関４の情報を入力する（Ｓ３０８、Ｓ３０９）。或いは、Ｓ３０７画面でセレモニー会社等の提携機関４の事前選択しない（「いいえ」を押下）で、前記提携機関４と情報を共有することに同意する場合、参列者情報１１の送受信が、前記セレモニー会社、寺等の提携機関４との間で今後行われる（Ｓ３１０、Ｓ３１１）（図１５参照）。
【００４３】
（エ）「人生ライブラリーサービス」について
本実施例の「人生ライブラリーサービス」は、個人の人生図書館とでも言うことが可能な機能である。すなわち、自分（本人１）の思い、感情、経験、努力してきたことなど、人生における様々な場面を、本人データ３として随時記録・保管し続けることで、利用者たる本人１が亡くなった後も家族や友人等身近な人（特定者２）がアクセスし、本人１の「人生の場面（本人データ３）」を伝えるものである。
但し、否定的な感情や思い・メッセージ等の本人データ３は、システム上自動的に削除される。また、上記の隠れメッセージ機能を備え、顔認証により見る側の感情が動いた時に見る事ができる設置が可能である。
さらに、発展型として、前記本人データ３が第三者宛のものであり、前記本人データ３が閲覧できる者を前記第三者に設定する実施形態も採用可能である（図示は省略）。例えば、身寄りのない者（本人１）が、自分の考え、気持ち、趣味、資産等を将来に受け継ぐことができない不安を抱えているとき、自分に同調して理解してもらえる可能性が高い第三者に、前記第二メッセージＴを見てもらって承継する事ができる。そのような本システムによれば本人１は生きがいを見出せる。なお、このような第三者宛の本人データ３は、図１に図示した個人図書館データＣ１４に保存・管理される。
【００４４】
（オ）「遺言マイレージサービス」について
図１４に示したように、本実施例の「遺言マイレージサービス」とは、本人１に長生きして頂く契機として、本システムの活用により特典としてのマイル１３（Ｃ１２）を貯め、特典を付与する斬新なサービスである。すなわち、上記のように遺言等の本人データ３の閲覧指定した年月日（時刻）より長く生きてもらい、その本人１に長生きした楽しみとしてマイル１３に相当するプレゼント（サービス）を付与する。病院や銀行・信託銀行・法律事務所等の提携機関６と連携し、例えば、利用者（本人１）の生存確認の意図を保有し、健康情報１２（ヘルスケアデータ）等の提示により、マイル１３が貯まり、所定の物やサービスとの交換が可能になる。
ここで、健康情報１２（ヘルスケアデータ）とは、一般的に、デバイスに備わったアプリケーションを起動させ持って歩く（走る）だけで、運動量が自動的に記録されたり、運動以外にも睡眠時間や心拍数などを記録することができ、日々の活動データをモニタリングできるものである。
この遺言マイレージサービスにより、データ管理部５では、利用者（本人１）の健康情報１２（ヘルスケアデータ）や資産情報等を獲得して保存し、管理及び評価が行われる。本人データ３としては、例えば、万歩計（登録商標）による歩数情報、年１回の健康診断書があり、ＧＰＳ機能付きの体重計による本人１の血圧、脈拍、体重等の日常的なヘルスデータの蓄積も有効である。
【００４５】
以上、実施例を図面に基づいて説明したが、本発明は、図示例の限りではなく、その技術的思想を逸脱しない範囲において、当業者が通常に行う設計変更、応用のバリエーションの範囲を含むことを念のために言及する。
【符号の説明】
【００４６】
１      本人
２      特定者
３      本人データ
４      提携機関
５      データ管理部
５’    データ認証部
６      提携機関
８      送付部
Ｂ１    カメラ付きデバイス
Ｂ２    顔認証システム
Ｂ３    人口知能（ＡＩ）
Ｂ４    音声認識検索システム
Ｂ５    文字情報認証システム
１０    感情認証システム（Ｂ６）
１１    参列者に関するデータ
１２    健康情報
１３    マイル
Ｍ      第一メッセージ
Ｔ      第二メッセージ
【図１】
2020135522.tif 000003
【図２】
2020135522.tif 000004
【図３】
2020135522.tif 000005
【図４】
2020135522.tif 000006
【図５】
2020135522.tif 000007
【図６】
2020135522.tif 000008
【図７】
2020135522.tif 000009
【図８】
2020135522.tif 000010
【図９】
2020135522.tif 000011
【図１０】
2020135522.tif 000012
【図１１】
2020135522.tif 000013
【図１２】
2020135522.tif 000014
【図１３】
2020135522.tif 000015
【図１４】
2020135522.tif 000016
【図１５】
2020135522.tif 000017
【手続補正書】
【提出日】平成31年3月1日(2019.3.1)
【手続補正１】
【補正対象書類名】明細書
【補正対象項目名】０００５
【補正方法】変更
【補正の内容】
【０００５】
前記特許文献１に係る発明によれば、婚葬祭場の案内とその催事についての情報の登録を受け付け、当該情報に基づいて作成された案内をネットワークを介して配信し、当該冠婚葬祭催事への金品及びメッセージの配達等の依頼を冠婚葬祭場が自動で受注し、代金決済を行えるが、それは一般来な冠婚葬祭の連絡と一般的なお礼メッセージの配達を代行するものであり、「個別的」に「まごころ」や「愛情」が伴ったメッセージと共に連絡し、個別的に閲覧できるものではなく、この点が解決すべき問題である。
【手続補正書】
【提出日】令和1年10月7日(2019.10.7)
【手続補正１】
【補正対象書類名】特許請求の範囲
【補正対象項目名】全文
【補正方法】変更
【補正の内容】
【特許請求の範囲】
【請求項１】
本人が未来に向けて、自分や家族、親族、友人、参列者である特定者宛に本人データを予め作成し、将来起きる冠婚葬祭や各種イベント等の行事で、前記特定者が個別的にその内容を閲覧自在なシステムであって、
ａ）前記未来に向けて特定者に発信した本人データが、データ管理部に転送され、前記データ管理部では前記本人データが受信されて管理されると共に、許可時に送信及び閲覧されること、
ｂ）前記データ管理部は、プロセッサと、ＲＡＭと、内蔵のハードディスク装置と、通信インタフェースと、入出力ユーザインタフェースを備え、このデータ管理部へのアクセスの可否を判定・認証するために連動するデータ認証部のアプリケーションを含み、当該データ管理部には、本人データのほか、データアクセスの可否を判定する顔認証データや感情認識メッセージデータを備えており、
前記特定者に発信した本人データが、デバイスによりインターネットを通じ、データ認証部を介してデータ管理部に転送され、受信されて保存及び管理されると共に、前記特定者が一行事において、前記デバイスからインターネット等のアクセス手段によりデータ管理部にアクセス自在で、許可時に本人データの内容を閲覧でき、前記本人データの特定者への送信は、電子メールやＳＮＳ（ソーシャル・ネットワーキング・サービス）、郵送等による送付で行われ、
前記データ認証部は、前記データ管理部へのアクセスの可否を判断するアプリケーションであり、カメラ付きデバイスにより判定が行われ、感情認証システム、顔認証システム、音声認識検索システム、文字認証システムを備えていること、
ｃ）前記特定者が一行事において前記データ管理部にアクセスした際、同データ管理部で一行事における期間や特定者等であるか否かが判定処理され、前記アクセスが許可処理された時に、前記本人データの内容を個別的に閲覧できる構成であること、
ｄ）前記本人データは、第一メッセージにつづく第二メッセージやそれ以降のメッセージとして段階的に内容を変えられる隠れメッセージ機能の設定が自在であると共に、前記隠れメッセージ機能は、データ管理部の第一メッセージが閲覧された後、さらにデータ管理部のデータ認証部によって許可された時に第二メッセージやそれ以降のメッセージが段階的に設定及び／又は閲覧できる構成に制御されていること、
ｅ）前記データ認証部を構成する感情認証システムは、本人データの第一メッセージを閲覧した前記特定者の表情に変化が生じ感情が動いたと判断された時に第二メッセージやそれ以降のメッセージへの閲覧が許可されること、
ｆ）前記本人データにおける第二メッセージやそれ以降のメッセージへの設定及び／又は閲覧の許可は、前記データ認証部の感情認証システム、顔認証システム、音声認識検索システム、文字認証システムのいずれか１又は２以上の組合せによって行われること、
ｇ）前記本人データには、動画や静止画、文字、音声による本人の伝えたいメッセージや本心、プレゼント、秘密事項、伝えられなかった想い、感謝の気持ち、反省事項、第三者へのお尋ね事、遺言が含まれていること、
を特徴とする、未来型データの個別閲覧システム。
【請求項２】
前記本人データには、特定者たる冠婚葬祭時の参列者に関する情報が含まれ、データ管理部は本人や親族の同意を得た上で、ブライダル会社、セレモニー会社、病院、銀行等の提携機関と前記参列者に関する情報の送受信が行われることを特徴とする、請求項１に記載した未来型データの個別閲覧システム。
【請求項３】
前記本人データを閲覧できる特定者が、前記データ管理部とデータの送受信を行う病院や銀行、法律事務所等の提携機関であることを特徴とする、請求項１又は２に記載した未来型データの個別閲覧システム。
【請求項４】
前記本人データは、未来に特定者が閲覧できる所定時刻を本人が設定自在に構成されていることを特徴とする、請求項１〜３のいずれか一に記載した未来型データの個別閲覧システム。
【請求項５】
前記本人データは、適時に、データ管理部と連携する送付部から前記特定者に送付されることを特徴とする、請求項１〜４のいずれか一に記載した未来型データの個別閲覧システム。
【請求項６】
前記本人が予め作成しデータ管理部で管理される本人データが第三者宛のものであり、前記本人データを閲覧できる者が前記第三者であることを特徴とする、請求項１〜５のいずれか一に記載した未来型データの個別閲覧システム。
【手続補正２】
【補正対象書類名】明細書
【補正対象項目名】全文
【補正方法】変更
【補正の内容】
【発明の詳細な説明】
【技術分野】
【０００１】
本発明は、本人が未来に向けて特定者宛に本人データを予め作成し、将来起きる冠婚葬祭や各種イベント等の行事で、主に特定者が個別的にその内容を閲覧自在な未来型データの個別閲覧システムに属し、さらに言えば、身近な家族や友人等に幸せや喜び、驚き等の感情・心を、ときには時空を越えて共有でき、大事な身近の家族や友人等に生きる源、元気、勇気や希望を付与する未来型データの個別閲覧システムに関するものである。
【背景技術】
【０００２】
我が国は戦後、大量生産・大量消費を通し地球環境を破壊しながら、利益やお金のみを追求する時代が続いた。結果として物質的に豊かになったが、お金やモノ、他者との比較や他者よりいかに優れているかを競い合うことで幸せを判断するようになってしまった。
このように、世の中には、お金で買える良いモノもたくさんあるが、幸せや感情、「まごころ」や「愛情」はお金に換算できない。感情・心には、他者との比較、他者への恨みつらみ、嫉み、自慢等もあるが、我々が大事にするのは、喜び・楽しさ・驚きといった感情・心であり、夢や希望である。
そこで、注目されるのが、本人が未来に向けて特定者宛に本人データを予め作成し、将来起きる冠婚葬祭や各種イベント等の行事で、主に特定者が個別的にその内容を閲覧自在な未来型データの個別閲覧システムであるが、そのような未来に発信する「個別的」な「まごころ」や「愛情」が伴った閲覧システムは現在のところ開発されていない。
【０００３】
例えば、下記の特許文献１に記載あるように、本人側から、冠婚葬祭場の案内とそこで行われる冠婚葬祭催事についての情報の登録を受け付け、当該情報に基づいて作成された案内をネットワークを介して配信し、且つ当該冠婚葬祭催事への金品及びメッセージの配達等の依頼を冠婚葬祭場が自動で受注し、代金決済まで行えるようにした技術は公知である。
すなわち、同特許文献１には、符号は同文献１に記載のものを援用すると、冠婚葬祭場登録情報ＡをＤＢ１０に登録する冠婚葬祭場登録部９と、贈り物金品登録情報Ｂと冠婚葬祭催行登録情報ＣとをＤＢ１０に登録する冠婚葬祭場情報入力部１１と、上記冠婚葬祭場の電話番号に基づいて生成された電子メールアドレス宛の電子メールを受信し、上記冠婚葬祭場のホームページのＵＲＬを一部に含む電子メールを返信するＵＲＬ送信部１２と、ＤＢ１０で保持している冠婚葬祭場登録情報Ａや贈り物金品登録情報Ｂ、冠婚葬祭催行登録情報Ｃを閲覧可能に公開する冠婚葬祭場情報公開部１３と、贈り物の受注を受付け当該受注情報ＦをＤＢ１６に登録する冠婚葬祭金品メッセージ受注部１４と、を具備する冠婚葬祭支援システムが開示されている。
【先行技術文献】
【特許文献】
【０００４】
【特許文献１】特開２００７−１７９１０９公報
【発明の概要】
【発明が解決しようとする課題】
【０００５】
前記特許文献１に係る発明によれば、婚葬祭場の案内とその催事についての情報の登録を受け付け、当該情報に基づいて作成された案内をネットワークを介して配信し、当該冠婚葬祭催事への金品及びメッセージの配達等の依頼を冠婚葬祭場が自動で受注し、代金決済を行えるが、それは一般来な冠婚葬祭の連絡と一般的なお礼メッセージの配達を代行するものであり、「個別的」に「まごころ」や「愛情」が伴ったメッセージと共に連絡し、個別的に閲覧できるものではなく、この点が解すべき問題である。
【０００６】
しかるに、本発明は上記課題に鑑みて案出されたものであり、その目的とするところは、本人が未来に向けて特定者宛に予め作成した本人データを、将来起きる冠婚葬祭や各種イベント等の行事で、主に身近な家族や友人等の特定者が個別的に閲覧でき、幸せや喜び、驚き等の感情・心を、ときには時空を越えて共有できる未来型データの個別閲覧システムを提供することにある。
【課題を解決するための手段】
【０００７】
上記の課題を解決するための手段として、請求項１に記載した発明の未来型データの個別閲覧システムは、
本人１が未来に向けて、自分や家族、親族、友人、参列者である特定者２宛に本人データ３を予め作成し、将来起きる冠婚葬祭や各種イベント等の行事で、前記特定者２が個別的にその内容を閲覧自在なシステムであって、
ａ）前記未来に向けて特定者２に発信した本人データ３が、データ管理部５に転送され、前記データ管理部５では前記本人データ３が受信されて管理されると共に、許可時に送信及び閲覧されること、
ｂ）前記データ管理部５は、プロセッサと、ＲＡＭと、内蔵のハードディスク装置と、通信インタフェースと、入出力ユーザインタフェースを備え、このデータ管理部５へのアクセスの可否を判定・認証するために連動するデータ認証部５’のアプリケーションを含み、当該データ管理部には、本人データのほか、データアクセスの可否を判定する顔認証データＣ５や感情認識メッセージデータＣ６を備えており、
前記特定者２に発信した本人データ３が、デバイスによりインターネットを通じ、データ認証部５’を介してデータ管理部５に転送され、受信されて保存及び管理されると共に、前記特定者２が一行事において、前記デバイスからインターネット等のアクセス手段によりデータ管理部５にアクセス自在で、許可時に本人データ２の内容を閲覧でき、前記本人データ３の特定者２への送信は、電子メールやＳＮＳ（ソーシャル・ネットワーキング・サービス）、郵送等による送付で行われ、
前記データ認証部５’は、前記データ管理部５へのアクセスの可否を判断するアプリケーションであり、カメラ付きデバイスＢ１により判定が行われ、感情認証システムＢ６、顔認証システムＢ２、音声認識検索システムＢ４、文字認証システムＢ５を備えていること、
ｃ）前記特定者２が一行事において前記データ管理部５にアクセスした際、同データ管理部５で一行事における期間や特定者２等であるか否かが判定処理され、前記アクセスが許可処理された時に、前記本人データ３の内容を個別的に閲覧できる構成であること、
ｄ）前記本人データ３は、第一メッセージＭにつづく第二メッセージＴやそれ以降のメッセージとして段階的に内容を変えられる隠れメッセージ機能の設定が自在であると共に、前記隠れメッセージ機能は、データ管理部５の第一メッセージＭが閲覧された後、さらにデータ管理部５のデータ認証部５’によって許可された時に第二メッセージＴやそれ以降のメッセージが段階的に設定及び／又は閲覧できる構成に制御されていること、
ｅ）前記データ認証部５’を構成する感情認証システム１０は、本人データ３の第一メッセージＭを閲覧した前記特定者２の表情に変化が生じ感情が動いたと判断された時に第二メッセージＴやそれ以降のメッセージへの閲覧が許可されること、
ｆ）前記本人データ３における第二メッセージＴやそれ以降のメッセージへの設定及び／又は閲覧の許可は、前記データ認証部５’の感情認証システム１０（Ｂ６）、顔認証システムＢ２、音声認識検索システムＢ４、文字認証システムＢ５のいずれか１又は２以上の組合せによって行われること、
ｇ）前記本人データ３には、動画や静止画、文字、音声による本人の伝えたいメッセージや本心、プレゼント、秘密事項、伝えられなかった想い、感謝の気持ち、反省事項、第三者へのお尋ね事、遺言が含まれていること、
を特徴とする。
【０００８】
請求項２に記載した発明は、請求項１に記載した未来型データの個別閲覧システムにおいて、前記本人データ３には、特定者２たる冠婚葬祭時の参列者に関する情報１１が含まれ、データ管理部５は本人１や親族（２）の同意を得た上で、ブライダル会社、セレモニー会社、病院、銀行等の提携機関４と前記参列者に関する情報１１の送受信が行われることを特徴とする。
【０００９】
請求項３に記載した発明は、請求項１又は２に記載した未来型データの個別閲覧システムにおいて、前記本人データ３を閲覧できる特定者２が、前記データ管理部５とデータの送受信を行う病院や銀行、法律事務所等の提携機関６であることを特徴とする。
【００１０】
請求項４に記載した発明は、請求項１〜３のいずれか一に記載した未来型データの個別閲覧システムにおいて、前記本人データ３は、未来に特定者２が閲覧できる所定時刻を本人が設定自在に構成されていることを特徴とする。
【００１１】
請求項５に記載した発明は、請求項１〜４のいずれか一に記載した未来型データの個別閲覧システムにおいて、前記本人データ３は、適時に、データ管理部５と連携する送付部８から前記特定者２に送付されることを特徴とする。
【００１２】
請求項６に記載した発明は、請求項１〜５のいずれか一に記載した未来型データの個別閲覧システムにおいて、前記本人１が予め作成しデータ管理部５で管理される本人データ３が第三者宛のものであり、前記本人データ３を閲覧できる者が前記第三者であることを特徴とする。
【発明の効果】
【００１３】
本発明の未来型データの個別閲覧システムは、本人が未来に向けて特定者宛に本人データを予め作成し、将来起きる冠婚葬祭や各種イベント等の行事で、特定者が個別的にその内容を閲覧できるので、身近な家族や友人等の特定者がその本人データに個別的に接して、幸せや喜び、驚き等の感情・心を時空を越えて共有でき、大切な身近な人に生きる源や元気・勇気・希望を付与する画期的なシステムが実現される。
【図面の簡単な説明】
【００１４】
【図１】未来型データの個別閲覧システムのデータ管理部とデータ認証部を示した構成図である。
【図２】本システムの送付部を示した構成図である。
【図３】本システムの典型的な実施形態を示した構成図である。
【図４】本システムの異なる実施形態を示した構成図である。
【図５】本システムのアカウント新規登録のフローチャート図である。
【図６】図５につづくフローチャート図である。
【図７】マイページ画面を示したフローチャート図である。
【図８】本システムの安心機能のフローチャート図である。
【図９】図８につづくフローチャート図である。
【図１０】図９につづくフローチャート図である。
【図１１】図１０につづくフローチャート図である。
【図１２】図１１につづくフローチャート図である。
【図１３】本システムの参加者アカウント情報のフローチャート図である。
【図１４】図１３につづくフローチャート図である。
【図１５】図１４につづくフローチャート図である。
【発明を実施するための最良の形態】
【００１５】
本発明の未来型データの個別閲覧システムの好適な実施形態を、図面にしたがって説明する。
この未来型データの個別閲覧システムは、図３に示したように、本人１が未来に向けて特定者２宛に本人データ３を予め作成し、将来起きる冠婚葬祭や、同窓会・誕生日会といった各種イベント等の行事で、前記特定者２が個別的にその内容を閲覧自在なシステムである。
未来に向けて特定者２に発信した本人データ３が、パソコンや携帯電話等のデバイスによりインターネットを通じ、後述するデータ認証部５’を介してデータ管理部５に転送され、各種の設定が行われる。前記データ管理部５では前記本人データ３が受信されて保存及び管理されると共に、許可時に送信及び閲覧される。そして、前記特定者２が一行事において、パソコン等のデバイスからインターネット等のアクセス手段によりデータ管理部５にアクセス自在であり、アクセスが許可された時に、本人データ３の内容を個別的に閲覧できるものである。
前記本人データ３の特定者２への送信手段としては、電子メールが好適であるが、LINE（登録商標）、Facebook（登録商標）、Twitter（登録商標）等のＳＮＳ（ソーシャル・ネットワーキング・サービス）によっても勿論可能である。それらを使用しない特定者２に対しては、郵送（書留扱い）等して送付するが、その際には、運転免許証や保険証など受取人（特定者２）の確認をした上で渡すようにする。
【００１６】
ここにいう特定者２とは、自分や家族、親族、友人、参列者のいずれかであったり、又はそれらの人の組合せといった繋がりが深い関係（いわゆる縦軸）にある人をいう。本実施形態における個別閲覧システムは、ＡＩ（人工知能：Artificial Intelligenceの略）や、ＶＲ（仮想現実：Virtual Realityの略）、ＡＲ（拡張現実：Augmented Realityの略）、ＭＲ（複合現実：Mixed Realityの略）、ＳＲ（代替現実：Substitutional Realityの略）といったＸＲ（前記ＶＲ/ＡＲ/ＭＲ/ＳＲの全ての先端技術の総称：Cross Realityの略）の先端技術等を利用して好適に実施される。例えば前記ＡＩ（人工知能）とは、一般的にいうと、人間の知的ふるまいの一部をソフトウェアを用いて人工的に再現したもので、経験から学び、新たな入力に順応することで、人間が行うように柔軟にタスクを実行するものである。
【００１７】
図１に示した当該未来型データの個別閲覧システムにおけるデータ管理部５（サーバー）のハードウェア構成は、一般的なコンピュータ装置（以下、ＰＣともいう。）と同様に実現可能である。すなわち、データ管理部５は、詳細図を省略したプロセッサと、ＲＡＭと、内蔵のハードディスク装置と、他のＰＣと通信する通信インタフェースと、入出力ユーザインタフェース（ディスプレイ、キーボード、マウス等）を備え、このデータ管理部５へのアクセスの可否を判定・認証するために連動する下記データ認証部５’のアプリケーション（プログラム）も含み、一行事における期間や特定者等の判定処理や、下記データの保存・管理等を行う構成である。
当該データ管理部５には、本人データ３（第一メッセージＭや第二メッセージＴを含む）たる文字メッセージデータＣ１、画像データＣ２、動画データＣ３、ＶＲデータＣ４のほか、データアクセスの可否を判定する顔認証データＣ５や感情認識メッセージデータＣ６（第二メッセージＴ）を備えている。また、セレモニー会社等データＣ７、参加者リストデータＣ８、贈りモノリストデータＣ９、認証用ＩＤ・パスワード・バーコードデータＣ１０、音声データＣ１１、マイルデータＣ１２、ユーザーデータＣ１３、個人図書館データＣ１４、インストールデータＣ１５、決済データＣ１６、確認データＣ１７といった各種データベースが備わって保存・管理されている。
【００１８】
本実施形態のデータ認証部５’は、前記データ管理部５へのアクセスの可否を判断するアプリケーションであり、「タイムマシーン」と仮称する。ＡＩ（人工知能）Ｂ３を利用して、カメラ付きデバイスＢ１により判定が行われる。カメラ付きデバイスＢ１とは、パソコンやタブレット・スマートフォンなどを含む、単体でカメラの機能を持つ電子部品・機器・周辺機器である。そして、このデータ認証部５’は、「顔認証システムＢ２」「音声認識検索システムＢ４」「感情認証システムＢ６」「文字認証システムＢ５」「決済システムＢ７」「ケアシステムＢ６（１０）」等を備えている。
顔認証システムＢ２とは、一般的に、カメラのデジタル画像から、人を自動的に識別するためのコンピュータ用アプリケーションである。ライブ画像内の顔と思われる部分を抜き出し、顔面画像データベースと照合することで識別を行う。また、音声認識検索システムＢ４とは、「Ｓｉｒｉ」（登録商標、「Speech Interpretation and Recognition Interface」の略）に代表されるような一般的には、人間の音声をデバイスが認識し、文字列に変換したり、音声の特徴をとらえ、話者の特定をしたりする技術である。スマートフォンの音声入力やＡＩスピーカーの音声応答のような機能も音声認識技術を基に検索機能を備えている。さらに、感情認証システムＢ６（１０）とは、カメラ付きデバイスＢ１を使って、リアルタイムにターゲットの顔の筋肉の僅かな動きや瞳の動きをキャッチし、感情をデータ化・分析するシステムである。
【００１９】
特に、前記の感情認識システム１０（Ｂ６）は、例えば、赤外線を顔に照射した反射光から赤外線画像を用いて感情の認識を行う実施形態が好適である。この感情認識システム１０（Ｂ６）は、赤外光を発光するＬＥＤと、赤外光画像を撮像するカメラ付きデバイス（Ｂ１）と、同カメラで撮像された赤外光画像を用いて顔の表情から感情の認証を行う顔認証システムＢ２と、前記赤外光画像を表示するモニターを備えている（詳細図は省略）。ＰＣや携帯電話等のカメラ付きデバイスＢ１は、前記の赤外光画像に加えて可視光画像を撮像できる形態によっても実施可能であり、モニターは、赤外光画像に加えて可視光画像を表示してもよい。そして、この感情認識システム１０（Ｂ６）には、泣いた顔や笑った顔など変化に富んだ表情パターンが予め登録されている。そして、本システムを操作して本人データ３を閲覧しようとする特定者２は、カメラ付きデバイスＢ１に向って前記の第一メッセージＭに接する。そうして、泣いたり笑ったりして感情が動いたとき、感情認識システム１０はその感情の変化を認識し、次の第二メッセージＴがモニター画面に表示される。
【００２０】
前記の本人データ３とは、動画や静止画、文字、音声等による本人１のメッセージを中心として、上記のように電子メールやＳＮＳ、郵送等によって送信（送付）されるものである。この本人データ３は、隠れメッセージ機能により段階的に内容が設定・閲覧される。ここにいう「隠れメッセージ機能」とは、データ認証部５’（データ管理部５）を通じて本人データ３へのアクセスが許可された時に閲覧できる最初のメッセージ（第一メッセージＭと名付ける。）に加え、前記第一メッセージＭを送られて閲覧した特定者２の感情認証や顔認証、音声認識等で判定し、一定条下でそれ以降のメッセージを段階的に開示する設定や閲覧を制御する機能である。すなわち、２回目に見る第二メッセージＴやそれ以降のメッセージの第三メッセージ、第四メッセージ、第五メッセージ・・・と永久的につづくメッセージを、条件をクリアする毎に段階的に特定者２に見せていくものである。よって、本人１の設定により、第二メッセージＴ以降のメッセージは、段階的に変わるようにすることができる構成になっている。
なお、本実施形態では、第三メッセージ以降永遠につづくメッセージも第二メッセージＴに含めて以下説明することがある。
【００２１】
第二メッセージＴ以降のメッセージを開示する一定条件とは、例えば、データ認証部５’の感情認証システムＢ６（１０）や顔認証システムＢ２によって、本人データ３の第一メッセージＭを閲覧した前記特定者２が、泣いたり笑ったりして顔の表情に変化が生じたことを認識し、音声認識検索システムＢ４によって声が震えたことを認識し、特定者２の心（感情）が動いた（「心の感情パスワード」と名付ける。）と判断されて許可された時に、さらなる第二メッセージＴ以降の遺言等のメッセージが自動的に開くように設定される。
【００２２】
前記本人データ３の第二メッセージＴ以降のメッセージとしては、例えば、本人１が本当に伝えたいメッセージや、伝えられなかった想い、今まで話せなかった秘密事項といった所謂本心、特別なプレゼント、感謝の気持ち、反省事項、第三者へのお尋ね事、遺言などである。かようにして、第二メッセージＴ以降のメッセージへの閲覧の許可は、データ認証部５’の感情認証システムＢ６（１０）や顔認証システムＢ２や音声認識検索システムＢ４、文字認証システムＢ５等を総合的に使用して行われる。
【００２３】
当該未来型データの個別閲覧システムにおいて、本人データ３は、随時、データ認証部５’によりデータ管理部５に転送され、最新の本人データ３が保存及び管理されている。また、必要に応じて、本人データ３は、適時に、データ管理部５又は提携機関４、６から特定者２に送信又は郵送される。
【００２４】
本システムの機能には、大別して３つの「安心機能」「夢機能」「サプライズ機能」がある（図８参照）。
【００２５】
「安心機能」とは、自身（本人１）の記念日や、亡くなったときなどに備えて、家族や仲間に伝えたいメッセージ（本人データ３）を作ったり、招待したい人のリストを事前に作ることができる機能である。例えば、５年後に自分が亡くなったとき、来てほしい方にお葬式に来ていただくことが、いま、準備できたり、自分が亡き後の３０年後に自分の動画を家族に見せることが、いま、できる、といった機能である。
そして、この「安心機能」には、「家族に贈ろう遺言メールサービス」、「未来への贈りモノサービス」、「参列者お伝えサービス」、「人生ライブラリーサービス」、「遺言マイレージサービス」機能が備わっているが、これらは処理フローと共に後述する。
「夢機能」とは、自分（本人１）が持っている夢、希望、喜び、楽しさ、自分が行ってきた努力等を、本人データ３として作成・保存し、将来の自分や家族、仲間におくることができる機能である。例えば、２年後の結婚式で招待客に見ていただける写真や動画（本人データ３）が、いま、準備できたり、１０年後の夢を叶えた自分に、いま、応援メッセージが送れる、といった機能である。
「サプライズ機能」とは、人生において忘れられない特別なコト、想いを、本人データ３として未来の自分（本人１）や家族に届けて驚かせることができる機能である。例えば、４年後に生まれてくる子どもに、いま、誕生日プレゼントが贈れたり、２０年後の子ども・孫を驚かせ、幸せにさせることが、いまできる、といった機能である。
【００２６】
図５〜図１５に示した未来型データの個別閲覧システムの基本的な処理フローについて説明する。
まず、アカウントの新規登録について説明する（図５、図６参照）。
「タイムマシーンへようこそ」と表示された本システムの起動後に、「マイページ画面」が表示される（Ｓ１００）。その中の「アカウント新規作成」を選択してログインし（Ｓ１００、Ｓ１０１）、「本人プロフィール」（名前、性別、生年月日、電話番号、メルアド（アカウントＩＤ）、住所等を設定する（Ｓ１０２）。そして、メルアドへ（メールアドレスの意）の仮ログイン情報の発信・認証を行い（Ｓ１０３）、メルアドからのＵＲＬクリックにより本登録が完了する（Ｓ１０４）。また、前記Ｓ１０１のステップで、アカウントＩＤとパスワードを入力するログイン設定を行うことで（Ｓ１０５）、「ログイン画面・マイページへ」が表示される（Ｓ１１０）。
なお、「タイムマシーン」の内容を取り消すには、前記Ｓ１００のステップで、「取消」を選択してＳ１０６の画面を表示させる。同Ｓ１０６の画面で取消したい項目のチェックボックスをチェックする。すると、取消の再確認を促す画面が表示され（Ｓ１０７）、「はい」を選択すると、取消される（Ｓ１０８）。
【００２７】
前記「マイページ画面」の「伝言機能」について説明する。
図７に示したように、上述したＳ１００の「マイページ画面」において、「伝言」を選択すると、伝言機能の内容を示すＳ１１１の画面が表示される。伝言機能とは、同画面に説明あるように、亡くなった後にクレジットカード等を停止する事で、のちに請求や課金が継続し続けないための機能である。その中の例えば「伝言を作成する」を選択すると、伝言の内容を記入することができる（Ｓ１１２）。伝言作成後に入力情報を確認して完了すると（Ｓ１１３）、伝言が作成された旨が表示される（Ｓ１１４）。
【００２８】
次に、安心機能について説明する（図８）。
「安心機能」は、上述した「夢機能」「サプライズ機能」と共に本システムの中心をなす重要な機能であるので、以下に詳述する。
上述したアカウントの新規登録後にログインして、マイページ画面を表示させる（Ｓ２００）。その中の「安心機能」を選択すると、Ｓ２０１の画面が表示される。すなわち、安心機能画面として以下の項目が表示される。
（ア）「家族に贈ろう遺言メールサービス」
（イ）「未来への贈りモノサービス」
（ウ）「参列者お伝えサービス」
（エ）「人生ライブラリーサービス」
（オ）「遺言マイレージ」
である。「家族に贈ろう遺言メールサービス」についてフローで説明した後、「未来への贈りモノサービス」、「参列者お伝えサービス」、「人生ライブラリーサービス」、「遺言マイレージ」について説明する。
【００２９】
（ア）「家族に贈ろう遺言メールサービス」について
本実施例の「家族に贈ろう遺言メールサービス」とは、あのとき、あの瞬間、大事な家族・友人等の身近な人（特定者２）に伝えられなかったこと・思い・本心等を、本人データ３として未来へ送る遺言メッセージ機能で、上述した隠れメッセージ機能を備えている。
Ｓ２０１の表示画面で「家族に贈ろう遺言メールサービス」の項を選択すると、Ｓ２０２の画面で説明文が表示される（図８）。それを確認した後、作成対象（本人データ３）が動画・写真・文字・アイテムの何に該当するか選択する（Ｓ２０３）。アイテムの場合、サンプル動画、画像、シールマーク等となる（Ｓ２０４）。
次に、図９に示したＳ２０５の画面で、贈り先の情報として、贈り相手（特定者２）の名前、性別、生年月日、住所、電話番号、メルアド等を入力した後、家族に贈る遺言メールの内容をテキストデータで入力する（Ｓ２０６）。入力が完了したら、贈るか否かが尋ねられ（Ｓ２０７）、「はい」を選択すると、「ファイルの選択」と共に「撮影する」の項目が表示される（Ｓ２０８）。「撮影する」を選択するとカメラアプリが自動的に起動して撮影することができる（Ｓ２０９）。
Ｓ２０８画面で入力が完了するか、前記Ｓ２０７画面で「いいえ」を選択すると、未来に特定者２が本人データ３たるメッセージＴ（Ｍ）を閲覧可能な時刻を自由に指定できる「贈る日時の入力」の「○年○月○日○時○分○秒」の画面が表示される（Ｓ２１０）。入力が完了するとＳ２１１画面に移り、「完了する」を選択すると、「感情認証メッセージ（第二メッセージＴ）」の設定画面に移る（Ｓ２１２）（図１０参照）。
【００３０】
第二メッセージＴである「感情認証メッセージ」は、第一メッセージＭを見て、涙が出たり、顔が赤くなったり、笑ったり、声が震えたりして感情に変化が生じ、許可された時にのみ、さらなる本人データ３を段階的に閲覧できるように制御される隠れメッセージ機能に基づいて実施される。上述したように赤外線、ＬＥＤ、赤外光画像を撮像するカメラと、同カメラで撮像された赤外光画像を用いて顔の表情から感情の認証を行う感情認証システム１０（Ｂ６）や、顔認証システムＢ２、音声認識検索システムＢ４など様々なシステム・デバイスを活用した技術により設定される（Ｓ２１３）。
この「感情認証メッセージ（第二メッセージＴ）」の作成に同意した場合、図１１に示したようなメッセージ内容を入力し（Ｓ２１４）、贈ることに同意し（Ｓ２１５）、Ｓ２１６画面での入力と内容確認が完了する（Ｓ２１７）か、前記Ｓ２１５画面で「いいえ」を選択すると、「未来  ○○何年に送信いたしました。」の画面が表示され（Ｓ２１８）、さらに作成する場合以外は、新規作成画面へと移る（Ｓ２１９）。前記Ｓ２１２画面で「感情認証メッセージ（第二メッセージＴ）」を作成しない場合（「いいえ」を押下）も、前記Ｓ２１９画面へ移る（図１２）。
なお、第二メッセージＴの次の第三メッセージや、その次の第四メッセージ、さらにその次の第五メッセージ・・・というように永久的につづく段階的なメッセージを、第二メッセージＴと同様に設定可能である（説明は省略）。
【００３１】
（イ）「未来への贈りモノサービス」について
本実施例の「未来への贈りモノサービス」とは、自分が亡くなったとき、大切な人（特定者２）に本人１のメッセージ（本人データ３）を送るものである。本人１が指定した日時までデータ管理部５で保管し、指定日に指定場所に送付（データ送信や郵送）される。
この送付を担う送付部８を図２に示した。すなわち、送付部８では、通信・伝達や配送、梱包、管理、決済が行われる。通信・伝達の手段としては、スマートフォン・モバイル・ＰＣ・インターネット・インターネット回線（Ｄ１）や電話・ＦＡＸ（Ｄ２）、電子メール（Ｄ３）、ＳＮＳ（Ｄ４）が好適である。配送には、郵便・手紙（Ｄ５）やトラック、飛行機、ドローンといった輸送・配送手段（Ｄ６）がある。梱包は、ダンボール等の容器Ｄ７を用い、管理は、二次元バーコード・ＩＣタグ等の管理伝票（Ｄ８）で行い、電子決済システム等によって決済が行われる（Ｄ９）。
【００３２】
（ウ）「参列者お伝えサービス」について
本実施例の「参列者お伝えサービス」は、自分（本人１）が亡くなった時に来てほしい人（特定者２）のリスト（参列者に関する情報１１）を事前に作成し、保存し、いざというときにセレモニー会社や寺・教会等の提携機関４と連携することで、速やかに参列者（特定者２）に連絡できるものである。
よって、事前に本人１がデータ管理部５に参列者リストを登録することで、お通夜やお葬式の際、来てほしい特定者２に漏れなく連絡することができる。なお、セレモニー会社・寺・教会等の提携機関４に、データ管理部５が保存する参列者リスト（参列者情報１１）を共有する場合には、家族・親族（特定者２）の同意が必須に設定される。
【００３３】
ここで、「参列者アカウント情報」（マイページ画面（Ｓ２００））について処理フローを用いて説明する（図１３）。
Ｓ３００の表示画面で、この参列者アカウント情報とは「冠婚葬祭時の参列者を、本人や親族の同意を受けた上で第三者と連携して招待するサービスです。」と説明され、同意する場合、「参列者の登録」のチェックボックスをチェックして進む（Ｓ３０１、Ｓ３０２）。なお、「参列者一人一人への想いメッセージ」機能とは、葬儀当日または後日、書面やメール、動画、ＶＲ等で渡せる機能である（Ｓ３０２）。
参列者に関する情報１１として、参列者の名前、性別、生年月日、住所、電話番号、メルアド（必須）を入力し（Ｓ３０３）、人数分それぞれ登録する（Ｓ３０４、Ｓ３０５）。なお、これらの参列者情報１１の登録は、本人１や親族（２）の同意を得た上で、データ管理部において行われる（Ｓ３０６）（図１４参照）。
そして、セレモニー会社、寺、教会等の提携機関４を事前に選択するか決めて（Ｓ３０７）、選択し、提携機関４の情報を入力する（Ｓ３０８、Ｓ３０９）。或いは、Ｓ３０７画面でセレモニー会社等の提携機関４の事前選択しない（「いいえ」を押下）で、前記提携機関４と情報を共有することに同意する場合、参列者情報１１の送受信が、前記セレモニー会社、寺等の提携機関４との間で今後行われる（Ｓ３１０、Ｓ３１１）（図１５参照）。
【００３４】
（エ）「人生ライブラリーサービス」について
本実施例の「人生ライブラリーサービス」は、個人の人生図書館とでも言うことが可能な機能である。すなわち、自分（本人１）の思い、感情、経験、努力してきたことなど、人生における様々な場面を、本人データ３として随時記録・保管し続けることで、利用者たる本人１が亡くなった後も家族や友人等身近な人（特定者２）がアクセスし、本人１の「人生の場面（本人データ３）」を伝えるものである。
但し、否定的な感情や思い・メッセージ等の本人データ３は、システム上自動的に削除される。また、上記の隠れメッセージ機能を備え、顔認証により見る側の感情が動いた時に見る事ができる設置が可能である。
さらに、発展型として、前記本人データ３が第三者宛のものであり、前記本人データ３が閲覧できる者を前記第三者に設定する実施形態も採用可能である（図示は省略）。例えば、身寄りのない者（本人１）が、自分の考え、気持ち、趣味、資産等を将来に受け継ぐことができない不安を抱えているとき、自分に同調して理解してもらえる可能性が高い第三者に、前記第二メッセージＴを見てもらって承継する事ができる。そのような本システムによれば本人１は生きがいを見出せる。なお、このような第三者宛の本人データ３は、図１に図示した個人図書館データＣ１４に保存・管理される。
【００３５】
（オ）「遺言マイレージサービス」について
図１４に示したように、本実施例の「遺言マイレージサービス」とは、本人１に長生きして頂く契機として、本システムの活用により特典としてのマイル１３（Ｃ１２）を貯め、特典を付与する斬新なサービスである。すなわち、上記のように遺言等の本人データ３の閲覧指定した年月日（時刻）より長く生きてもらい、その本人１に長生きした楽しみとしてマイル１３に相当するプレゼント（サービス）を付与する。病院や銀行・信託銀行・法律事務所等の提携機関６と連携し、例えば、利用者（本人１）の生存確認の意図を保有し、健康情報１２（ヘルスケアデータ）等の提示により、マイル１３が貯まり、所定の物やサービスとの交換が可能になる。
ここで、健康情報１２（ヘルスケアデータ）とは、一般的に、デバイスに備わったアプリケーションを起動させ持って歩く（走る）だけで、運動量が自動的に記録されたり、運動以外にも睡眠時間や心拍数などを記録することができ、日々の活動データをモニタリングできるものである。
この遺言マイレージサービスにより、データ管理部５では、利用者（本人１）の健康情報１２（ヘルスケアデータ）や資産情報等を獲得して保存し、管理及び評価が行われる。本人データ３としては、例えば、万歩計（登録商標）による歩数情報、年１回の健康診断書があり、ＧＰＳ機能付きの体重計による本人１の血圧、脈拍、体重等の日常的なヘルスデータの蓄積も有効である。
【００３６】
以上、実施例を図面に基づいて説明したが、本発明は、図示例の限りではなく、その技術的思想を逸脱しない範囲において、当業者が通常に行う設計変更、応用のバリエーションの範囲を含むことを念のために言及する。
【符号の説明】
【００３７】
１      本人
２      特定者
３      本人データ
４      提携機関
５      データ管理部
５’    データ認証部
６      提携機関
８      送付部
Ｂ１    カメラ付きデバイス
Ｂ２    顔認証システム
Ｂ３    人口知能（ＡＩ）
Ｂ４    音声認識検索システム
Ｂ５    文字情報認証システム
１０    感情認証システム（Ｂ６）
１１    参列者に関するデータ
１２    健康情報
１３    マイル
Ｍ      第一メッセージ
Ｔ      第二メッセージ